(57)【要約】【課題】数万Ｎ以上のあらゆる必要推力に応じることのできるコンパクトな大推力リニアモータユニットを提供する。【解決手段】円筒状の電機子ベース１ａおよび電機子ベース１ａの内壁に多角形状に配置された複数個のリニアモータ電機子１ｂで構成される電機子ユニット１と、円筒状の電機子ベース１ａの内側に同軸状に配置した円筒状の界磁ベース２ａおよび界磁ベース２ａの外壁にリニアモータ電機子１ｂの数と同数個が多角形状に配置されたリニアモータ界磁２ｂとで構成される界磁ユニット２と、リニアモータ電機子１ｂとリニアモータ界磁２ｂは磁気ギャップを介して対向し、電機子ユニット１と界磁ユニット２との何れか一方を固定子に、他方を可動子として、電機子ユニットと界磁ユニットを相対的に走行するようにした。【選択図】図１
2008104279.tif 000002
【特許請求の範囲】
【請求項１】
円筒状の電機子ベース（１ａ）および前記電機子ベース（１ａ）の内壁に多角形状に配置された複数個のリニアモータ電機子（１ｂ）で構成される前記電機子ユニット（１）と、
前記円筒状の電機子ベース（１ａ）の内側に同軸状に配置した円筒状の界磁ベース（２ａ）および前記界磁ベース（２ａ）の外壁に前記リニアモータ電機子（１ｂ）の数と同数個が多角形状に配置されたリニアモータ界磁（２ｂ）とで構成される前記界磁ユニット（２）と、
前記リニアモータ電機子（１ｂ）と前記リニアモータ界磁（２ｂ）は磁気ギャップを介して対向し、前記電機子ユニット（１）と前記界磁ユニット（２）との何れか一方を固定子に、他方を可動子として、前記電機子ユニットと前記界磁ユニットを相対的に走行するようにしたことを特徴とする大推力リニアモータユニット。
【請求項２】
前記１個のリニアモータ電機子（１ｂ）と前記リニアモータ界磁（２ｂ）とで１台を構成するリニアモータを複数個多角形状構成する際、点対称または線対称に配置して、１台ごとに生じる磁気吸引力が相殺されてリニアガイドに与える外力を打ち消すようにしたことを特徴とする請求項１記載の大推力リニアモータユニット。
【請求項３】
複数個の前記リニアモータ電機子（１ｂ）をそれぞれ直列結線にすることを特徴とする請求項１記載の大推力リニアモータユニット。
【請求項４】
前記電機子ユニット（１）を固定子とし、前記界磁ユニット（２）を可動子とし、前記電機子ベース（１ａ）内部にリニアガイド（１ｃ）を固定配置し、前記リニアガイド（１ｃ）に沿って走行するガイドブロック（２ｃ）を前記界磁ベース（２ａ）に配置固定したことを特徴とする請求項１記載の大推力リニアモータユニット。
【請求項５】
前記複数個のリニアモータ電機子（１ｂ）又は複数個の前記リニアモータ界磁（２ｂ）を軸方向（推力発生方向）にそれぞれ一定間隔ずらして配置したことを特徴とする請求項４記載の大推力リニアモータユニット
【請求項６】
前記リニアガイド（１ｃ）と前記ガイドブロック（２ｃ）の型番及び個数を可変とし、点対称または線対称に配置することを特徴とする請求項４記載の大推力リニアモータユニット。
【請求項７】
前記リニアガイド（１ｃ）が２本、前記円筒状の電機子ベース（１ａ）の直径両端内側に固定配置し、かつ前記直径を挟んで同数のリニアモータを線対称に配置したことを特徴とする請求項６記載の大推力リニアモータユニット。
【請求項８】
前記リニアガイド（１ｃ）が４本、前記円筒状内側互いに９０度間隔で固定配置し、かつ隣接する２本の前記リニアガイド（１ｃ）間にそれぞれ同数のリニアモータを配置したことを特徴とする請求項７記載の大推力リニアモータユニット。
【請求項９】
複数個の前記リニアモータ電機子（１ｂ）を直径を挟んで２分割し各分割ブロック毎にそれぞれ直列結線にすることを特徴とする請求項６記載の大推力リニアモータユニット。
【請求項１０】
請求項９記載の大推力リニアモータユニットを複数個前記リニアガイドに直列配置したことを特徴とする大推力リニアモータユニット。
【発明の詳細な説明】
【技術分野】
【０００１】
本発明は、射出成型機等のように数万Ｎ以上の大推力を必要とするリニアモータユニットに関し、特にその機械的・電気的構造に関する。
【背景技術】
【０００２】
射出成型機のように数万Ｎ以上の大推力を必要とする場合、数万Ｎ単位の推力特性をもつ１台のリニアモータにより駆動しなければならなかった（特許文献１又は２参照）。
【特許文献１】特開２００２−３５４７８０号公報
【特許文献２】特開平６−６２７８７号公報
【０００３】
特に、特許文献１記載の発明は、可動子と固定子から成る円筒界磁形リニアモータにおいて、可動子が、（１）巻線をリング状に巻回した複数個のリング状コイルを軸方向（スラスト方向）に等ピッチで配置されて成るリング状コイル群と、（２）これらのリング状コイル群を収納するスロットをスラスト方向に複数個備えてなる電機子コアを複数個リング状コイルの全周に亘って、電機子コアの磁気的空隙側の面が正多角形になるように配置されて成る電機子コア群と、（３）電機子コア群を周方向に位置決めする溝を備えたフレームと、を有し、また、固定子が、（１）前記リング状コイル群の中心軸上に同心配置されて成る中空磁性体ロッドと、（２）中空磁性体ロッドの外周側にスラスト方向に等ピッチで配置されかつ電機子コアの正多角形内面に対して磁気的空隙を介して成る複数のリング状マグネットと、を有して成るものである。
このように、特許文献1記載の発明は、電機子と界磁を磁気的空隙を介していずれもスラスト方向に等ピッチで配置し、電機子コアのみを多角形状にするものであった。
【発明の開示】
【発明が解決しようとする課題】
【０００４】
ところが、従来のリニアモータでは、必要推力に見合うリニアモータを開発するたびに莫大な投資費用がかかるため、効果的な方法ではなかった。
また、特許文献1記載のリニアモータでは、リニアモータに生じる磁気吸引力を相殺させることができず、したがってまたガイド寿命が短くなり、さらにコギングトルクが発生するという欠点を解消できなかった。
【０００５】
本発明は上記課題を解決するためになされたものであり、数千Ｎ（ニュートン）単位の最大推力をもつリニアモータを複数台、これを取り付けるベース寸法を調整することにより、数万Ｎ以上のあらゆる必要推力に応じることのできて、コスト安で小サイズで、しかもガイド寿命が長く、コギングトルクも発生しない大推力リニアモータユニットを提供することを目的としている。
【課題を解決するための手段】
【０００６】
上記問題を解決するため、本発明は、次のように構成したのである。
請求項１記載の発明は、大推力リニアモータユニットにおいて、円筒状の電機子ベースおよび前記電機子ベースの内壁に多角形状に配置された複数個のリニアモータ電機子で構成される前記電機子ユニットと、前記円筒状の電機子ベースの内側に同軸状に配置した円筒状の界磁ベースおよび前記界磁ベースの外壁に前記リニアモータ電機子の数と同数個が多角形状に配置されたリニアモータ界磁とで構成される前記界磁ユニットと、前記リニアモータ電機子と前記リニアモータ界磁は磁気ギャップを介して対向し、前記電機子ユニットと前記界磁ユニットとの何れか一方を固定子に、他方を可動子として、前記電機子ユニットと前記界磁ユニットを相対的に走行するようにしたことを特徴としている。
請求項２記載の発明は、請求項１記載の大推力リニアモータユニットにおいて、前記１個のリニアモータ電機子と前記リニアモータ界磁とで１台を構成するリニアモータを複数個多角形状構成する際、点対称または線対称に配置して、１台ごとに生じる磁気吸引力が相殺されてリニアガイドに与える外力を打ち消すようにしたことを特徴としている。
請求項３記載の発明は、請求項１記載の大推力リニアモータユニットにおいて、複数個の前記リニアモータ電機子をそれぞれ直列結線にすることを特徴としている。
請求項４記載の発明は、請求項１記載の大推力リニアモータユニットにおいて、前記電機子ユニットを固定子とし、前記界磁ユニットを可動子とし、前記電機子ベース内部にリニアガイドを固定配置し、前記リニアガイドに沿って走行するガイドブロックを前記界磁ベースに配置固定したことを特徴としている。
請求項５記載の発明によると、請求項４記載の大推力リニアモータユニットにおいて、前記複数個のリニアモータ電機子１又は複数個の前記リニアモータ界磁を軸方向（推力発生方向）にそれぞれ一定間隔ずらして配置したことを特徴している。
請求項６記載の発明は、請求項４記載の大推力リニアモータユニットにおいて、前記リニアガイドと前記ガイドブロックの型番及び個数を可変とし、点対称または線対称に配置することを特徴としている。
請求項７記載の発明は、請求項６記載の大推力リニアモータユニットにおいて、前記リニアガイドが２本、前記円筒状の電機子ベースの直径両端内側に固定配置し、かつ前記直径を挟んで同数のリニアモータを線対称に配置したことを特徴としている。
請求項８記載の発明は、請求項７記載の大推力リニアモータユニットにおいて、前記リニアガイドが４本、前記円筒状内側互いに９０度間隔で固定配置し、かつ隣接する２本の前記リニアガイド間にそれぞれ同数のリニアモータを配置したことを特徴としている。
請求項９記載の発明は、請求項６記載の大推力リニアモータユニットにおいて、複数個の前記リニアモータ電機子を直径を挟んで２分割し各分割ブロック毎にそれぞれ直列結線にすることを特徴としている。
請求項１０記載の発明は、請求項９記載の大推力リニアモータユニットを複数個前記リニアガイドに直列配置したことを特徴としている。
【発明の効果】
【０００７】
請求項１記載の発明によると、数千Ｎ単位の最大推力をもつ既存のリニアモータを複数台多角形状に配置した構造とし、リニアモータの台数とこれを取り付けるベース寸法を調整することにより、数万Ｎ以上のあらゆる必要推力に応じて、大推力リニアモータユニットを提供することが可能となる。
請求項２記載の発明によると、複数台のリニアモータを多角形状に点対称又は線対称に配置した構造にすることにより、リニアモータ１台ごとに生じる磁気吸引力が相殺されるため、リニアガイドに与える外力を打ち消し、ガイド寿命が極めて長くすることが可能となる。
請求項３記載の発明によると、複数台のリニアモータをそれぞれ直列結線とすることにより、リードの結線処理が容易となる。
請求項４記載の発明によると、複数台のリニアモータと複数個のリニアガイドを点対称または線対称となるよう多角形状に配置した構造とし、モータ支持部だけに必要なスペースを削減することにより、コンパクトな大推力リニアモータユニットを提供することが可能となる。
請求項５記載の発明によると、複数個の前記リニアモータ電機子１又は複数個の前記リニアモータ界磁２を軸方向（推力発生方向）にそれぞれ一定間隔ずらして配置したので、コギング推力を打ち消すことが可能となる。
請求項６記載の発明によると、リニアガイドの型番及び個数を可変とすることにより、必要に応じてメカ剛性を調節することが可能となる。
請求項７記載の発明によると、高出力のコンパクトな大推力リニアモータユニットを提供することが可能となる。
請求項８記載の発明によると、メカ剛性の強いコンパクトな大推力リニアモータユニットを提供することが可能となる。
請求項９記載の発明によると、結線が簡単で、高出力のコンパクトな大推力リニアモータユニットを提供することが可能となる。
請求項１０記載の発明によると、任意の高出力大推力リニアモータユニットを簡単に構成することが可能となる。
【発明を実施するための最良の形態】
【０００８】
以下、本発明の実施の形態について図を参照して説明する。なお、本発明が従来と同じ構成要素については同一符号を付して重複説明を省略し、異なる点のみ説明する。
【実施例１】
【０００９】
図１は本発明の実施例１に係る大推力リニアモータユニットの概念斜視図を示している。また、図２は図１の大推力リニアモータユニットを軸に対して直角な面で切った断面図を、図３は図１の大推力リニアモータユニットの側面図をそれぞれ示している。
図１において、１は電機子ユニット、１ａは電機子ベース、１ｂはリニアモータ電機子、２は界磁ユニット、２ａは界磁ベース、２ｂはリニアモータ界磁、３は動力ケーブルである。
図１〜図３では、一例として、リニアモータを１０台を用いて正十角形構造としている。勿論、本発明はリニアモータは１０台に限らず、必要推力に応じてリニアモータの台数を変更することが可能である。
図において、大推力リニアモータユニットは電機子ユニット１と前記界磁ユニット２と動力ケーブル３で構成され、 電機子ユニット１は、円筒状の電機子ベース１ａと、電機子ベース１ａの内壁に多角形状に配置された複数個のリニアモータ電機子１ｂとで構成されている。
界磁ユニット２は、円筒状の電機子ベース１ａの内側に同軸状に配置した円筒状の界磁ベース２ａと、界磁ベース２ａの外壁にリニアモータ電機子１ｂの数と同数個が多角形状に配置されたリニアモータ界磁２ｂとで構成されている。
そして、リニアモータ電機子１ｂとリニアモータ界磁２ｂは磁気ギャップを介して対向し、電機子ユニット１と界磁ユニット２との何れか一方を固定子に、他方を可動子として、電機子ユニットと界磁ユニットを相対的に走行するようにしている。
１個のリニアモータ電機子１ｂと１個のリニアモータ界磁２ｂとで１台のリニアモータを構成している。そして、複数個で多角形状構成する際、点対称または線対称に配置しているので、１台ごとに生じる磁気吸引力が相殺されてリニアガイドに与える外力を打ち消すようになる。
【００１０】
また、図２から判るように、複数個のリニアモータ電機子１ａをそれぞれ直列結線することにより、リードの結線処理が容易となる。
複数個の前記リニアモータ電機子１又は複数個の前記リニアモータ界磁２を軸方向（推力発生方向）にそれぞれ一定間隔ずらして配置できるため、コギング推力を打ち消すことが可能となる。
以上のように、実施例１の大推力リニアモータユニットは、複数台のリニアモータを多角形状に配置した点が特徴で、このように多角形状の構造のため、各リニアモータに発生する磁気吸引力を相殺し、リニアガイドへの外力を緩和することにより、ガイド寿命を著しく長くすることができる。
【００１１】
図４は、実施例１の大推力リニアモータユニットの推力特性を示す。
図４において、横軸は速度ｖ（ｍ／ｓ）、縦軸は推力Ｆ（Ｎ）を示し、実線は１台駆動の場合、点線はｎ台駆動の場合である。
図から判るように、本発明の大推力リニアモータユニット（リニアモータｎ台で構成）の推力特性は、リニアモータ１台の推力特性を基準とすると、最大推力がｎ倍、最高速度が１／ｎ倍となることが判る。
このように、数千Ｎ単位の最大推力をもつリニアモータを複数台多角形状に配置し、リニアモータの台数とこれを取り付けるベース寸法を調整することにより、数万Ｎ以上のあらゆる必要推力に応じたリニアモータユニットを構成することができ、また、各リニアモータを直列結線することにより、最高速度は落ちるが、リードの結線処理が容易にできるといったメリットがある。
このため、本発明の大推力リニアモータユニットは、低速度かつ数万Ｎ以上の大推力を必要とする射出成型機等への適用が可能となる。
【実施例２】
【００１２】
このような実施例１の大推力リニアモータユニットを支持する構造としては、図８のようなものを本出願人は先に考出した。すなわち、リニアモータの支持に必要なリニアガイド１ｃを固定面４に固定し、一方、電機子ベース１ａの外壁にガイドブロック２ｃを配置固定している。このようにリニアモータの固定子である電機子側を固定面４に固定することで、界磁側が可動子となって電機子ユニット１内を移動するようになる。
ところが、このような固定方法ではリニアガイド１ｃを固定する固定面４のためのスペースを確保する必要があり、実用性の点で問題が見つかった。
実施例２は図８のリニアモータが有する欠点を解消して、モータ支持部のスペースを削減でき、コンパクトな大推力リニアモータユニットを得ることを目的とするものである。
図５は実施例２に係る大推力リニアモータユニットの概念斜視図、図６は図５の大推力リニアモータユニットを軸方向に対して直角な面で切った断面図、図７はリニアモータ４台とリニアガイド４個の場合の断面図をそれぞれ示している。
図５および図６において、１は電機子ユニット、１ａは電機子ベース、１ｂはリニアモータ電機子、１ｃはリニアガイド、２は界磁ユニット、２ａは界磁ベース、２ｂはリニアモータ界磁、２ｃはガイドブロック、３は動力ケーブルである。
ここでは、電機子ユニット１を固定子とし、界磁ユニット２を可動子とし、電機子ベース１ａ内部にリニアガイド１ｃを固定配置し、またリニアガイド１ｃに沿って走行するガイドブロック２ｃを界磁ベース２ａに配置固定している。
この場合、複数個のリニアモータ電機子１ｂと複数個のリニアガイド１ｃを点対称または線対称になるよう多角形状に配し、また、界磁ベース２ａの外壁にリニアモータ電機子１ｂと同数個のリニアモータ界磁２ｂ、リニアガイド１ｃと同数個のガイドブロック２ｃを点対称または線対称になるよう多角形状に配している。リニアモータ電機子１ｂとリニアモータ界磁２ｂは磁気ギャップを介して対向するような位置関係としている。
また、リニアガイド１ｃとガイドブロックの型番及び個数を可変とすることができ、その場合点対称または線対称に配置するのが好ましい。
【００１３】
このように複数個のリニアガイドを点対称または線対称となるよう多角形状に配置することで、モータ支持部だけに必要なスペースを削減することができ、コンパクトな大推力リニアモータユニットが得られることとなる。
また、リニアガイドの型番及び個数を可変とすることにより、必要に応じてメカ剛性を調節することが可能となる。
図５および図６では、１個のリニアモータ電機子ｂと１個のリニアモータ界磁２ｂの１対で構成されるリニアモータを８台、正十角形構造に配置して大推力リニアモータユニットを構成しているが、図７はリニアモータ４台、リニアガイド４個（正八角形構造）とした場合の構造を示している。
このように、リニアガイドの個数を増やすことにより、メカ剛性の向上が可能となり、制御面においてゲインを上げることが可能となる。ただし、この際、リニアモータの磁気吸引力を相殺するため、複数台のリニアモータと複数個のリニアガイドは点対称または線対称になるように配置しなければならない。
以上述べたように、複数台のリニアモータと複数個のリニアガイドを点対称または線対称になるよう多角形状に配置した構造とすることにより、モータ支持部のスペースを削減でき、コンパクトな大推力リニアモータユニットを提供することが可能になる。
また、リニアガイドの型番及び個数を可変とすることにより、必要に応じてメカ剛性を調節することが可能となる。このようなメリットから、数千Ｎ以上の大推力を必要とする射出成型機といった用途に対して適用可能である。
また、数千Ｎ以上の大推力を必要とする場合、半径方向に大きくすることができないときは、大推力リニアモータユニットを複数個リニアガイドに直列配置するようにしてもよい。
【図面の簡単な説明】
【００１４】
【図１】本発明の実施例１に係る大推力リニアモータユニットの概念斜視図を示している。
【図２】図１の大推力リニアモータユニットを軸に対して直角な面で切った断面図を示している。
【図３】図１の大推力リニアモータユニットの側面図を示している。
【図４】実施例１の大推力リニアモータユニットの推力特性を示している。
【図５】実施例２に係る大推力リニアモータユニットの概念斜視図を示している。
【図６】図５の大推力リニアモータユニットを軸方向に対して直角な面で切った断面図を示している。
【図７】実施例２におけるリニアモータ４台とリニアガイド４個の場合の断面図を示している。
【図８】本出願人による先行例としてのリニアモータユニット支持構造の断面図である。
【符号の説明】
【００１５】
１  ：電機子ユニット
１ａ：電機子ベース
１ｂ：リニアモータ電機子
１ｃ：リニアガイド
２  ：界磁ユニット
２ａ：界磁ベース
２ｂ：リニアモータ界磁
２ｃ：ガイドブロック
３  ：動力ケーブル
４  ：固定面
【図１】
2008104279.tif 000003
【図２】
2008104279.tif 000004
【図３】
2008104279.tif 000005
【図４】
2008104279.tif 000006
【図５】
2008104279.tif 000007
【図６】
2008104279.tif 000008
【図７】
2008104279.tif 000009
【図８】
2008104279.tif 000010